(57)【要約】      （修正有）【課題】注ぎ口の蓋体開閉構造を簡素化し、かつ蓋体以外は容器本体外部に露出しないようにして、蓋体開閉構造を備えても外観を低下させない液体収納容器を提供する。【解決手段】液体収納容器は、容器本体１の上面部に開口して、容器本体の内部から外部へ液体を流出する注ぎ口３と、この注ぎ口の上部を覆う蓋体４とを有する。蓋体に容器本体の内方へ延出する脚部５を設け、この脚部の中央部分を容器本体の内部に回動可能に支持し、支持部分よりも下方の脚部を重り部８とする。容器本体が、注ぎ口が下方になるように傾いたとき、蓋体に対して重り体が重力方向に作用して、蓋体が容器本体に対して相対的に支持部分を中心に回動して、注ぎ口から離れる。【選択図】図１
0003175634.tif 000002
【実用新案登録請求の範囲】
【請求項１】
容器本体の上面部に開口して、容器本体の内部から外部へ液体を流出する注ぎ口と、この注ぎ口の上部を覆う蓋体とを有する液体収納容器において、
前記蓋体に前記容器本体の内方へ延出する脚部を設け、この脚部の中央部分を前記容器本体の内部に回動可能に支持し、該支持部分よりも下方の前記脚部を重り部とし、
前記容器本体が、前記注ぎ口が下方になるように傾いたとき、前記蓋体に対して前記重り体が重力方向に作用して、前記蓋体が、前記容器本体に対して相対的に前記支持部分を中心に回動して、前記注ぎ口から離れるように構成したことを特徴とする液体収納容器。
【請求項２】
前記脚部の前記重り部に重量体を固定したことを特徴とする請求項１記載の液体収納容器。
【考案の詳細な説明】
【技術分野】
【０００１】  本考案は、内部に液体を収納する容器本体を備えた水入れ容器，湯沸かし器、あるいは浄水器などの液体収納容器に係り、特に、液体が外部へ流出する注ぎ口を開閉する蓋体を具備する液体収納容器に関するものである。
【背景技術】
【０００２】  従来、液体収納容器であるケトルや浄水器などでは、外部からの異物の進入を防ぐため、注ぎ口に蓋体を開閉可能に設け、使用者が蓋体に設けられたフック部に指を掛けて蓋体を回動させ、注ぎ口を解放するようにしている。特許文献１には、吹鳴蓋であるが、この蓋体を注ぎ口に対して開閉可能にしたケトル（やかん）の構成が記載されている。【０００３】  また、特許文献２には、液体収納容器であるケトルの注ぎ口に蓋体を開閉可能に設け、容器本体を傾けて液体を注ぐときに、蓋体が自重により容器本体に対して回動することにより、注ぎ口を解放する構成が記載されている。
【先行技術文献】
【特許文献】
【０００４】
【特許文献１】実用新案登録第３１３０１９２号公報
【特許文献２】特表２００８−５１１３６４号公報
【考案の概要】
【考案が解決しようとする課題】
【０００５】  特許文献１，２に記載された蓋体の開閉構造は、蓋体の開閉構造としては、その構成が複雑であり、さらに、開閉構造の主体が容器本体の外部に配設されており、開閉構造の構成部材が使用者により見えてしまい、日常に使用される液体収納容器であるケトルなどのデザインとしては、決してすっきりしたものであるとはいえない。【０００６】  そこで、本考案は、注ぎ口の蓋体開閉構造を簡素化し、かつ蓋体以外は容器本体外部に露出しないようにして、蓋体開閉構造を備えても外観を低下させることのない液体収納容器を提供することを目的とする。
【課題を解決するための手段】
【０００７】  前記目的を達成するため、本考案に係る液体収納容器は、容器本体の上面部に開口して、容器本体の内部から外部へ液体を流出する注ぎ口と、この注ぎ口の上部を覆う蓋体とを有する液体収納容器において、前記蓋体に前記容器本体の内方へ延出する脚部を設け、この脚部の中央部分を前記容器本体の内部に回動可能に支持し、該支持部分よりも下方の前記脚部を重り部とし、前記容器本体が、前記注ぎ口が下方になるように傾いたとき、前記蓋体に対して前記重り体が重力方向に作用して、前記蓋体が前記容器本体に対して相対的に前記支持部分を中心に回動して、前記注ぎ口から離れるように構成したことを特徴とする。【０００８】  また、本考案は、前記脚部の前記重り部に重量体を固定したことを特徴とする。
【考案の効果】
【０００９】  本考案に係る液体収納容器によれば、蓋体の開閉構造を構成する蓋体の脚部と支持部分と重り部とが容器本体内部に設けられ、また容器本体を傾けると、重り部の重力方向への作用により蓋体が、容器本体に対して相対的に支持部分を中心に自動的に回動して、注ぎ口を解放することになる。【００１０】  このため、蓋の開閉作業に煩雑さはなく、また蓋体開閉構造が簡素化され、しかも蓋体以外は容器本体外部に露出しないので、蓋体開閉構造を備えても外観を低下させない。
【図面の簡単な説明】
【００１１】
【図１】本考案に係る液体収納容器の実施形態である給水ポットにおける要部を示す正面断面図である。
【図２】本実施形態の蓋部の正面図である。
【図３】本実施形態の蓋部の底面図である。
【図４】（ａ），（ｂ）は本実施形態の蓋部開閉過程及び液体流出過程を示す要部の正面断面図である。
【考案を実施するための形態】
【００１２】  以下、本考案の好適な実施形態を図面に基づいて説明する。
【００１３】  図１は本考案に係る液体収納容器の実施形態である給水ポットの上部を断面して示す正面図であり、１は液体Ｗを収納する容器本体、２は容器本体１の上面部を覆う天板部、３は、天板部２の一部を開放して形成され、収納された液体Ｗを外部に流出させる注ぎ口、４は、注ぎ口３を覆い、容器本体１の内部を外部に対して遮蔽する蓋体である。
【００１４】  蓋体４には、図２，図３に示すように、容器本体１の内方へ延出する一対の脚部５が設けられ、各脚部５の側部中央部分に、容器本体１の内側部に設けられた図１に示す支持部６に回動可能に支持される支持ピン７が突設されている。脚部５の支持ピン７より下部、すなわち、支持部分よりも下方の脚部５を重り部８としている。
【００１５】  本例では、脚部５間に重量体としての軸部材９を架設している。しかし、脚部５の重り部８における肉厚を厚くしたり、軸形状でなく各種形状の重り部材を固定したりすることも考えられる。また、脚部５の形状も板状にするなどの変更も可能である。
【００１６】  脚部５は、図２に示すように、蓋体４の下面部から支持ピン７が設けられる中央部まで延出する部分が略Ｌ状をなし、側方に凹状空間部Ａが形成されるようにしており、さらに該中央部から、軸部材９が設けられる下端部までが略垂直方向に垂下する形状になっている。前記凹状空間部Ａを形成することにより、回動途中で脚部５が容器本体１の天板部材２などの構成部材と当接することが回避される。
【００１７】  前記構成の本実施形態において、蓋体４には、脚部５の重り部８の重量が下方（重力方向）に作用することにより、図１に示す状態において、支持ピン７を中心として時計方向へ回動する力が働く。このため、蓋体４の側周部分が、注ぎ口３部分の容器本体１の上端部に接して、蓋体４が注ぎ口３を閉鎖する状態になる。
【００１８】  ここで注ぎ口３から容器本体１の外部へ液体Ｗを流出させるときには、図４（ａ）に示すように、容器本体１を注ぎ口３が下方になるように傾ける。すると蓋体４には、前記のように脚部５の重り部８の重量が重力方向に作用しているため、蓋体４が、注ぎ口３に対して相対的に回動して、注ぎ口３を開くように移動する。
【００１９】  そして、４（ｂ）に示すように、容器本体１を同方向にさらに傾けると、注ぎ口３の開口が十分に解放されて、液体Ｗは支障なく外部へ流出することになる。
【産業上の利用可能性】
【００２０】  本考案は、液体が収納される本体の液体注ぎ口に、開閉可能に蓋体が設けられている水差し，湯沸かし器，浄水器などの液体収納容器に実施して有効である。
【符号の説明】
【００２１】１  容器本体
２  天板部材
３  注ぎ口
４  蓋体
５  脚部
６  支持部
７  支持ピン
８  重り部
９  軸部材
Ｗ  液体
Ａ  凹状空間部
【図１】
0003175634.tif 000003
【図２】
0003175634.tif 000004
【図３】
0003175634.tif 000005
【図４】
0003175634.tif 000006